(57)【特許請求の範囲】
【請求項１】
コンクリート製敷石（２）が互いに隣接して配置固定されてなる敷物体を複数個有する工事資材であって、
前記各敷物体は複数の平行な列に配置固定された敷石（２）により形成され、前記各列において前記敷石（２）は同一の幅と同一または異なる長さを有し、
前記各敷物体の前記敷石の列は同一の長さを有し、その結果前記各敷物体は矩形または正方形で同一の幅と高さを有する機械式につかめる敷物体を形成し、
舗装状態において隣接する前記敷物体は、前記敷石列の列終端敷石の領域において連続した線状の継ぎ目を有し、あるいは、列終端敷石を同一幅であるが異なる長さの敷石に置き換えて互いに接合させることにより形成された蛇行した継ぎ目（７）を有し、
前記敷石（２）は同一の高さと垂直な側面（４）を有する実質的角柱状の石本体を有し、
前記敷石（２）の側面（４）は、その高さの部分的長さにわたって波形に形成された頭部（２’）と、側面（４）の一部かつその高さの部分的長さにわたって延在し前記頭部（２’）を越えて横に突出する突出部あるいは膨出部（５）を有する脚部（２”）とを有し、
前記工事資材は第一と第二の敷物体を有し、
前記第一の敷物体は少なくとも２つの異なる幅の敷石（２）からなる敷石列を有し、前記第二の敷物体は少なくとも２つのさらに異なる幅の敷石（２）からなる敷石列を有し、
前記第一の敷物体の敷石（２）の２つの幅と、前記第二の敷物体の敷石（２）の２つの幅は互いに異なることを特徴とする工事資材。
【請求項２】
前記敷石（２）の前記頭部（２’）あるいは前記脚部（２”）の角または縁は丸められていることを特徴とする請求項１記載の工事資材。
【請求項３】
前記敷石（２）の前記頭部（２’）の上面は弧をなすように外側に向かって湾曲していることを特徴とする請求項１または２に記載の工事資材。
【請求項４】
前記敷石（２）の脚部（２”）に配置された前記突出部あるいは膨出部（５）は前記脚部（２”）の側面上に互いに距離をおいて配置され、前記突出部あるいは膨出部（５）は隣り合う敷石（２）と相互に接触支持するための支持体を形成し、前記突出部あるいは膨出部（５）は隣接配置された敷石（２）の突出部あるいは膨出部（５）とともに接合領域を離間させ排水口（６）として使用する中間空間を生じさせることを特徴とする請求項１記載の工事資材。
【発明の詳細な説明】
【０００１】
【発明の属する技術分野】
本発明は、同一高さで垂直側面を有する角柱状の石材をしたコンクリート製敷石から成る工事資材に関する。
【０００２】
【従来の技術】
敷物体の形にまとめられた敷石を機械式に敷いて敷物複合パネルを形成した際、その敷物複合パネル内において敷物体の接合部位に通しの継ぎ目が生じ、この継ぎ目が敷物複合パネルの見栄えを悪くすることが知られている。
【０００３】
【発明が解決しようとする課題】
本発明の課題は、冒頭に述べた形式の工事資材を、追加的な工事資材で機械式に敷物複合パネルの形に互いに接合することができ、隣接する工事資材間に単純な通しの継ぎ目あるいはずれた継ぎ目を選択的に形成することができるように形成することにある。
【０００４】
【課題を解決するための手段】
本発明によればこの課題は、敷石がその部分高さにわたって延び外周面が平面的に見て特に波形をしている頭部と残りの部分高さにわたって延び区域毎に頭部より横に突き出した膨出部あるいは突起を備えた脚部とを有し、同一幅で同一ないし異なった長さをしたこれらの複数の敷石が互いに列を成して配置されて敷石列が形成され、これらの複数の敷石列が互いに平行に並べて配置され機械式につかめる長方形あるいは正方形の敷物体が形成され、これらの敷物体で形成された敷物複合パネルにおいて敷物体が敷石列の終端敷石の部位に線状に延びる継ぎ目を形成しているか、あるいは隣接する敷物体の互いに接合される列終端敷石を異なった長さの敷石と置き換えることによって蛇行した継ぎ目が形成されていることによって解決される。
【０００５】
敷物体はそれ自体一体部品として形成でき、その角柱形状によって機械式に確実につかむことができ、角柱状ユニットとして敷くことができ、それらが敷かれた状態において線状の通しの継ぎ目が存在するか、あるいは隣接する敷物体の列終端敷石を異なった長さの敷石と置き換えることによって蛇行状にずれた継ぎ目が形成でき、これにより個々の工事資材を認識することなしに視覚的に密閉された敷物複合パネルが生ずる。
【０００６】
本発明に基づく工事資材の有利な実施形態において、敷石の頭部および脚部の角および又は縁が、その部位における破損を防止ないし最少にするためおよび敷物複合パネルの支障のない施工を保証するために、切られているか丸められていることを提案する。
【０００７】
敷石の踏み面である頭部の上側表面が球面状に外向きに膨出されていることが有利である。そのようにして敷石は天然石の形態となり、敷物複合パネルは外観的に天然石の敷石のように見える。また大きな平面の敷石の膨出球面が緩やかに形成され、小さな平面の敷石の膨出球面が大きな曲率で形成されていることが有利である。
【０００８】
更にまた、石材の脚部に形成された膨出部あるいは突起が脚部の側面に互いに間隔を隔てて配置され、これらの膨出部あるいは突起が隣接する石材に対する接触支持体を形成し、膨出部あるいは突起が隣接する石材の膨出部あるいは突起と共に接合部位に排水口として使用する中間空間を生じさせることが有利である。その排水口の開口面積は主に膨出部ないし突起の長さおよび幅並びにその相対間隔と数に左右されて決まる。
【０００９】
【発明の実施の形態】
以下図に示した実施例を参照して本発明を詳細に説明する。
【００１０】
図１に示されている工事資材１はコンクリート製の多数の敷石２によって形成されている。敷石２は図２および図３から明らかに分かるように角柱形に形成されている。これは外周面３が平面的な波形をしている頭部２′と外周面４に複数の膨出部５あるいは突起を備えている脚部２″を有している。膨出部５は脚部２″に外周面４の部分長にわたって互いに間隔を隔てて設けられている。敷石２は工事資材１を形成するために図１、図７および図８に示されているように互いに列を成して配置され、その各列の敷石２は同一幅であるが同一か異なった長さに形成されている。各工事資材１の敷石列の長さおよび敷石２の幅は全体的にパターンに応じて決められ、即ち図７および図８の実施例の場合には例えば１２００×７６０ｍｍのパターンに応じて決められる。勿論異なった任意の大きさのパターン寸法を選定することもできる。そのようにして敷物体として形成された工事資材１は機械式に確実につかんで敷くことができる。
【００１１】
図７および図８は敷石２の中心コンクリート面と呼ばれる底面を示している。任意の長さであるが同一幅をした敷石２が列を成して敷物体の形に結合されている。ハイフン１１で結び合わされた数字１２は寸法（ｍｍ）を表している。図７では敷石２は全体的に小さな同一幅および種々の長さを有し、図８では敷石２は全体的に大きな同一幅で種々の長さを有し、それぞれ工事資材１の形に結合されている。
【００１２】
脚部２″の外周面４における膨出部５は敷物体としてまとめられた工事資材１において隣接する敷石２ないし敷石列を相互に接触支持するために使用する。膨出部５を適当に寸法づけることによって、膨出部５は継ぎ目７の範囲に排水口６を形成させ、この排水口６を通して地下に排水される。
【００１３】
図９において図７の工事資材１が図８の工事資材１と敷物複合パネルの形に互いに結合され、その敷物複合パネル内における工事資材１は隣接する工事資材１の横部位および縦部位に線状の通しの継ぎ目７が生じ認識される。図１０では図７および図８の工事資材１を組み合わせることによって異なった敷物複合パネルが形成されている。この場合も隣接する工事資材の横部位および縦部位に通しの継ぎ目７が存在している。図１０の敷物複合パネルの中央部分の工事資材１は図７の工事資材に相当し、その両側の工事資材は図８の工事資材に相当している。
【００１４】
図１１および図１２には図７の工事資材１によって形成された敷物複合パネルが示されている。その工事資材１はそれぞれ長方形の敷物体として機械式につかまれ敷かれ、続いて列終端敷石２（２個で一組、図１２にハッチングで図示）が置き換えられることによって図１１における敷物形状が得られる。ハッチングで示した列終端敷石２が置き換えられることによって敷石列の部位に通しの継ぎ目７に代わって、蛇行状の継ぎ目７が形成される。これによって通して密閉された敷物形状物が得られる。
【００１５】
図１３および図１４の敷物形状物に対しても同じ考えが当てはまる。この敷物複合パネルでは図８の工事資材１が利用され、更に隣接する工事資材１の列端における敷石（２個で一組、実施例においてハッチングで図示）が置き換えられることによって図１４の蛇行状継ぎ目７を備えた密閉敷物形状物が得られる。機械式に敷かれた多数の工事資材が敷物複合パネルを生じていることは考察者には分からない。
【００１６】
図１５および図１６の実施例において、図７および図８の工事資材が並べて利用されている。継ぎ目７は列終端敷石（図１６にハッチングで図示）を置き換えることによって蛇行して形成されている。
【００１７】
図４および図５には工事資材１に対する敷石２の異なった実施例が示され、この場合外周面が平面波形をしている頭部２′の代わりに矩形をした頭部２′を有するが、敷かれた状態で排水口を形成するために脚部２″が外周面４に突起５を有している。
【００１８】
敷石２が特に図４および図５に示されているようにその上側表面２′′′の部位に外向きに延びる例えば半径１４４３ｍｍの膨出部１３を有していることが特に有利である。その場合、大きな平面の敷石２は非常に緩やかな膨出部１３を有し、小さな平面の敷石は大きな曲率の膨出部１３を有するようにされる。
【００１９】
図６は異なった実施例の敷石２を平面図で示し、この敷石は面平行の側面１４にリブ状突起１０が互いに間隔を隔てて設けられている。それらの突起１０は隣接する敷石に対するスペーサとして使用され且つ接合部位に排水口を形成するために使用される。この実施例の場合も敷石２の表面は外向きに膨らんでいる膨出部１３を有している。
【００２０】
図１７は、列終端敷石を交換する必要なしに、工事資材１を適当に相互に配列することによって得られた密閉された敷物形状を示している。
【００２１】
更に、敷石の頭部２′および脚部２″を第３の側面境界部として作用する傾斜面部分１５によって互いに結合することが考えられる（図１８）。
【図面の簡単な説明】
【図１】工事資材の平面図。
【図２】構造組物の敷石の第１の実施例における平面図。
【図３】図２におけるＩＩＩ−ＩＩＩ線に沿った断面図。
【図４】敷石の異なった実施例の平面図。
【図５】図４におけるＶ−Ｖ線に沿った断面図。
【図６】敷石の異なった実施例の平面図。
【図７】図１の工事資材の底面図（中心コンクリート側面）。
【図８】工事資材の異なった実施例の底面図（中心コンクリート側面）。
【図９】複数の工事資材から成る敷物複合パネルの概略図。
【図１０】複数の工事資材から成る敷物複合パネルの異なった実施例の概略図。
【図１１】図１の複数の工事資材から成り列終端敷石が置き換えられている敷物複合パネルの概略図。
【図１２】置き換えられた列終端敷石が明示されている図１１の敷物複合パネルの概略図。
【図１３】図８の複数の工事資材から成る敷物複合パネルの概略図。
【図１４】置き換えられた列終端敷石が明示されている図１３の敷物複合パネルの概略図。
【図１５】図７および図８の複数の工事資材から成る敷物複合パネルの概略図。
【図１６】置き換えられた列終端敷石が明示されている図１５の敷物複合パネルの概略図。
【図１７】工事資材による敷物複合パネルの概略図。
【図１８】工事資材の部分平面図。
【符号の説明】
１  工事資材
２  敷石
５  膨出部
６  排水口
７  継ぎ目
【図１】
0004210388.tif 000002
【図２】
0004210388.tif 000003
【図３】
0004210388.tif 000004
【図４】
0004210388.tif 000005
【図５】
0004210388.tif 000006
【図６】
0004210388.tif 000007
【図７】
0004210388.tif 000008
【図８】
0004210388.tif 000009
【図９】
0004210388.tif 000010
【図１０】
0004210388.tif 000011
【図１１】
0004210388.tif 000012
【図１２】
0004210388.tif 000013
【図１３】
0004210388.tif 000014
【図１４】
0004210388.tif 000015
【図１５】
0004210388.tif 000016
【図１６】
0004210388.tif 000017
【図１７】
0004210388.tif 000018
【図１８】
0004210388.tif 000019